(57)【要約】      （修正有）【課題】信用カード、現金、交通カード或いは先払いカード等の決済手段が具備されたモバイル充電器を営業場所や移動手段に設置してより容易で簡便にモバイル装置のバッテリーを充電させる事が出来るシステムと方法を提供する。【解決手段】無線ネットワーク200とSMSサーバー400、IWF300、移動通信社、カード会社と連動して多様な決済手段を提供し、使用者が無線ネットワーク200を利用して決済をすれば使用者のモバイル装置に電源を充電させるモバイル充電器100と、SMSサーバー400、移動通信社精算システム700、信用カードシステム550と連動され、 上記使用者の使用承認を認証し管理するM充電管理システム500を含めて成るシステム、及び、このシステムを利用した携帯電話決済、信用カード決済、現金決済、先払いカード決済を通したモバイル装置の電源を充電させる方法。 【選択図】図１
2005259129.tif 000002
【特許請求の範囲】
【請求項１】
無線ネットワークを利用して移動通信社、カード会社と連係して営業場所や移動手段でモバイル装置の電源を充電させる事が出来るモバイル充電システムに於いて、
前記モバイル装置を据え置きさせて内蔵された携帯電話端末機を利用して顧客の認証、決済、充電器使用及び運営状態日日報告データを無線ネットワークを利用して送受信するモバイル充電器と、
前記モバイル充電器で受信される各種データを送受信するSMSサーバーと、
前記SMSサーバーに受信されるデータを収集し処理結果データを送信するM充電管理システムと、
前記M充電管理システムで受信した顧客情報認証/携帯電話決済要請データの受信を受ける移動通信社精算システムと、
前記移動通信社精算システムで受信されたデータの伝達を受けて信用/交通/先払いカード決済に対する結果データを収集加工する信用/交通/先払いカードシステムで成る、モバイル充電管理システム。
【請求項２】
前記モバイル充電器は、
各種LCD、ボタン等のインターフェースを提供する使用者インターフェースモジュールと、
前記使用者インターフェースモジュールを通して入力された情報を利用して外部電源の入力を受けて前記モバイル充電器に必要な電源を出力する電源モジュールと、
前記電源モジュールを利用してモバイル装置を据え置きさせて電源を充電させる事が出来るようにした 携帯電話バッテリー据え置きモジュールと、
前記携帯電話バッテリー据え置きモジュールに据え置きされたモバイル装置を充電させる為に携帯電話、信用カード、交通カード、先払いカード、コインを通して決済する事が出来るようにした決済モジュールと、
前記モジュール間のデータ送受信の為にSMS、回線方式を 利用する内蔵携帯電話端末機モジュールと、
前記内蔵携帯電話端末機モジュールを利用してデータ送受信の為のモジュール別インターフェースを更に含めて成る、請求項１に記載のモバイル充電管理システム。
【請求項３】
前記モバイル充電器は一般的な営業場所ばかりでなく移動手段にも設置してモバイル装置を充電させる事が出来ることを特徴とする、請求項１又は２に記載のモバイル充電管理システム。
【請求項４】
前記M充電管理システムは、
外部使用者の為の各種UI環境を提供する外部使用者インターフェースと、
前記M充電管理システムの管理者の為のインターフェース画面を提供するシステム管理者インターフェースと、
前記外部使用者と管理者の為のウェブ画面を提供するウェブサーバーと、
SMSサーバーを通して受信されるデータを収集、分析して処理結果データを前記SMSサーバーに伝送するSMSサーバー連動モジュールと、
携帯電話決済と決済結果データを 収集加工する移動通信精算システム連動モジュールと、
前記移動通信精算システム連動モジュールで収集加工する携帯電話決済と決済結果を貯蔵するデータベイスを更に含めて成る、請求項１に記載のモバイル充電管理システム。
【請求項５】
無線ネットワークとSMS、IWFを利用して移動通信社、カード会社と連係して営業場所や移動手段でモバイル装置に電源を充電させる事が出来る携帯電話決済を利用した充電方法に於いて、
携帯電話を利用してモバイル充電器に電話する第1段階と、
前記第1段階の携帯電話発信者番号を確認して文字メッセージで伝送する第2段階と、
前記第2段階で伝送された文字メッセージを利用して決済金額と共に承認を要請する第3段階と、
前記第3段階で要請された決済金額を承認し使用承認と秘密番号を文字メッセージで伝送する第4段階と、
前記第4段階で承認された使用承認と秘密番号を確認し携帯電話を充電させる第5段階を含めて成る、モバイル充電方法。
【請求項６】
前記第2段階は、モバイル装置をモバイル充電器に据え置きした後自動ダイアルを通して電話をすると前記携帯電話の発信者番号を確認して発信者番号を充電器に貯蔵して使用承認と秘密番号を確認した後、充電がなされれば前記充電器に貯蔵された発信者番号を周期的にSMSサーバーを利用してM充電管理システムに一括的に伝送する段階を更に含めて成る、請求項５に記載のモバイル充電方法。
【請求項７】
前記利用者が携帯電話でモバイル充電器に電話する段階は、前記利用者がモバイル充電器に据え置きした後自動ダイアルを押す事で自動的にモバイル充電器に電話が掛けられることを特徴とする、請求項５に記載のモバイル充電方法。
【請求項８】
前記利用者が携帯電話でモバイル充電器に電話する段階は、前記利用者がモバイル充電器に据え置きするようになるとモバイル充電器で自動的にモバイル装置の発信信号を確認することを特徴とする、請求項５に記載のモバイル充電方法。
【請求項９】
無線ネットワークとSMS、IWFを利用して移動通信社、カード会社と連係して営業場所や移動手段でモバイル装置に電源を充電させる事が出来る信用カード決済を利用した充電方法に於いて、
信用カードを挿入し秘密番号の入力を要請する第1段階と、
前記第1段階で要請した信用カードの秘密番号入力後回線を要請し、前記信用カード決済内訳承認を要請する第2段階と、
前記第2段階で要請した決済内訳承認後使用承認と秘密番号を伝送する第3段階と、
前記第3段階で使用承認と伝送された秘密番号を確認し携帯電話に電源を供給して充電をさせる第4段階で成る、モバイル充電方法。
【請求項１０】
無線ネットワークとSMS、IWFを利用して移動通信社、カード会社と連係して営業場所や移動手段でモバイル装置に電源を充電させる事が出来るコイン挿入を利用した充電方法に於いて、
モバイル充電器に現金を挿入させるようにする第1段階と、
前記第1段階で一定金額の現金が決済金額で挿入されれば前記決済金額を文字メッセージで伝送しM充電管理システムに貯蔵して管理する第2段階と、
前記M充電管理システムで使用承認と秘密番号を確認し携帯電話を充電させる第3段階で成る、モバイル充電方法。
【請求項１１】
前記現金決済情報を文字メッセージで伝送しM充電管理システムに貯蔵し管理することを特徴とする、請求項１０に記載のモバイル充電方法。
【請求項１２】
無線ネットワークとSMS、IWFを利用して移動通信社、カード会社と連係して営業場所や移動手段でモバイル装置に電源を充電させる事が出来る先払いカード又は交通カードを利用して決済する充電方法に於いて、
先払いカード又は交通カードをモバイル充電器に接触させる第1段階と、
前記第1段階で先払いカード又は交通カードを接触させて認識させた後、決済金額を決済し使用承認と秘密番号を確認して携帯電話を充電させる第2段階と、
前記第2段階で決済金額情報を文字メッセージで伝送してM充電管理システムに貯蔵し、先払いカード又は交通カード会社に先払いカード使用代金を請求して精算する第3段階を含めて成る、モバイル充電方法。
【請求項１３】
前記先払いカード決済情報を文字メッセージで伝送しM充電管理システムに貯蔵し先払いカード会社に先払いカード使用代金を請求し精算することを特徴とする、請求項１２に記載のモバイル充電方法。
【請求項１４】
前記利用者が先払いカードをモバイル充電器に接触させる段階は交通カードを利用してモバイル充電器に接触させる段階を更に含めてなることを特徴とする、請求項１２に記載のモバイル充電方法。
【発明の詳細な説明】
【技術分野】
【０００１】
本発明は無線ネットワークを利用した携帯電話決済、信用カード決済、現金、交通カード或いは先払いカード決済機能を含むモバイル充電器を営業場所や移動手段に提供し、より容易で簡便にモバイル装置のバッテリーを充電させる事が出来るシステムとその方法に関するものである。
【背景技術】
【０００２】
現在モバイル装置としてはセルラフォン、PCSフォン、PDA等を挙げる事が出来るが、移動中にも通話するか、モバイルゲームを楽しむか、モバイルインターネットをするとか、モバイルバンキングをするとか等の便利性と楽しみの為に使用者層が爆発的に増加しており、尚、小形、軽量化の主要対象として非常に速い周期で新しいモバイル装置に改良されている趨勢である。
【０００３】
この様なモバイル装置等は携帯を目的にするものである為バッテリーを電源に使用し、バッテリーの効率性及び繰り返し使用を勘案して一般的に再充電が可能なバッテリーを使用する。この様なバッテリーはモバイル装置内部に挿入されるか外部に露出される様に装着されてモバイル装置に必要な電源を供給している。普通リチウムを利用した充電バッテリーを多く使用しているが、充電用バッテリーが放電されて再充電が必要な場合に充電装置が無ければ充電が不可能であり、外部でバッテリーが放電された場合に充電装置が具備された便宜店等の様な場所でバッテリーを充電しなければならない不便が有ったし、特に便宜店でバッテリー充電をする場合には普通30分程度の時間が所要され、大部分充電に必要な決済金額を現金でしており緊急にバッテリーを充電させようとするか、汽車、飛行機等の移動間にもバッテリーを充電させようとする使用者等が現金が無いか他の決済手段が無い場合、充電をさせる事が出来ない不便が有った。
【発明の開示】
【発明が解決しようとする課題】
【０００４】
本発明は上記の様な問題点を解決する為に案出されたもので携帯電話、信用カード、現金、交通カード或いは先払いカード等の決済手段が具備されたモバイル充電器を便宜店、美容院、映画館等の固定された営業場所や汽車、高速バス、飛行機等の移動手段に設置して、より容易で簡便にモバイル装置のバッテリーを充電させる事が出来るシステムと方法を提供するのにその目的がある。
【課題を解決するための手段】
【０００５】
上記の様な目的を達成する為に本発明は無線ネットワークとSMS、IWFを利用して移動通信社、カード会社と連係して営業場所や移動手段でモバイル装置に電源を充電させる事が出来るモバイル充電システムと充電方法に於いて、使用者が無線ネットワークを利用して決済をすれば使用者のモバイル装置に電源を充電させるモバイル充電器と、SMSサーバー、移動通信社精算システム、信用カードシステムと連動され、上記使用者の使用承認を認証して管理するM充電管理システムを含めて成るシステムが提供され、利用者が携帯電話でモバイル充電器に電話する段階と、上記利用者の発信者番号を確認して文字メッセージで伝送する段階と、上記受信された利用者の発信者番号を決済金額と共に承認を要請する段階と、上記利用者の決済金額を承認し使用承認と秘密番号を文字メッセージで伝送する段階と、上記利用者が使用承認と秘密番号を確認し携帯電話を充電させる段階を含めて成る充電方法が提供される。
【０００６】
上記利用者の発信者番号を確認し文字メッセージで伝送する段階は、上記利用者が携帯電話でモバイル充電器に電話をすれば上記利用者の発信者番号を確認し発信者番号を充電器に貯蔵し使用承認と秘密番号を確認し携帯電話を充電させた後充電器に貯蔵された発信者番号を周期的に定められた時間にSMSサーバーを利用してM充電管理システムに一括的に伝送する段階を更に含むことを特徴にしており、尚、上記利用者が携帯電話でモバイル充電器に電話する段階は、上記利用者がモバイル装置をモバイル充電器に据え置きした後自動ダイアルを押す事で自動的にモバイル充電器に電話が掛けられるのを特徴としており、尚、上記利用者が携帯電話でモバイル充電器に電話する段階は、上記利用者がモバイル装置をモバイル充電器に据え置きすればモバイル充電器で自動的にモバイル装置の発信番号を確認することを特徴としている。
【０００７】
尚、本発明の他の目的である無線ネットワークとSMS、IWFを利用して移動通信社、カード会社と連係して営業場所や移動手段でモバイル装置に電源を充電させる事が出来る信用カード決済を利用したモバイル充電方法に於いて、利用者が信用カードを挿入し秘密番号を入力する段階と、上記信用カードのシステム間の回線開放を要請し、信用カード決済内訳承認を要請する段階と、上記信用カード決済内訳を承認し使用承認と秘密番号を伝送する段階と、上記利用者が使用承認と秘密番号を確認し携帯電話を充電させる段階を含めて成る充電方法が提供され、尚、本発明の又他の目的である無線ネットワークとSMS、IWFを利用して移動通信社、カード会社と連係して営業場所や移動手段でモバイル装置に電源を充電させる事が出来るコイン挿入を利用したモバイル充電方法に於いて、利用者がモバイル充電器に現金を挿入する段階と、一定金額の決済金額が挿入されると、使用承認と秘密番号を確認し携帯電話を充電させる段階を含めて成る充電方法が提供され、尚、本発明の又他の目的である無線ネットワークとSMS、IWFを利用して移動通信社、カード会社と連係して営業場所や移動手段でモバイル装置に電源を充電させる事が出来る交通カード或いは先払いカード決済を利用したモバイル充電方法に於いて、利用者が交通カード或いは先払いカードをモバイル充電器に接触させる段階と、決済金額を処理して使用承認と秘密番号を確認し携帯電話を充電させる段階を含めて成る充電方法が提供される。
【０００８】
上記モバイル装置とはセルラフォン、PCSフォン、PDA等バッテリー充電を通して作動しながら携帯が可能な装置等を言い、上記営業場所とは便宜店、美容院、映画館、レストラン、銀行、娯楽施設等が具備された一般的な営業場所で顧客等がしばしば出入する所を言い、上記移動手段とは電鉄、汽車、バス、飛行機、船等で乗客等を移動させる為の手段で使用されるのを言う。
【発明の効果】
【０００９】
上述した様に本発明である携帯電話、信用カード、現金、交通カード或いは先払いカード等の決済手段が具備されたモバイル充電器を便宜店、美容院、映画館等の固定された営業場所や汽車、高速バス、飛行機等の移動手段に設置して使用することで、モバイル装置の充電が必要な利用者は何時、何処でもより容易で簡便にモバイル装置のバッテリーを充電させる事が出来る効果がある。
【発明を実施するための最良の形態】
【００１０】
以下図面を参照して本発明に従う望ましい一実施例を詳細に説明する。
【００１１】
図１は本発明に従うモバイル充電管理システムの全体的なブロック構成を示す図面である。図１を参照して説明すると、本発明はモバイル充電器(100)と、無線ネットワーク(200)、IWF(300)、SMSサーバー(400)、M充電管理システム(500)、信用/交通/先払いカード会社(600)、移動通信社精算システム(700)で構成されるが、上記モバイル充電器(100)はモバイル装置を据え置きして内蔵された携帯電話端末機を利用して顧客の認証、決済、充電器使用及び運営状態等の日日報告（Daily Report）データを無線ネットワークを通してSMSサーバー(400)で送受信し、一定金額を支払うと自動的にモバイル充電用バッテリーを充電させる役割を遂行し、上記無線ネットワーク(200)はモバイル装置等が無線中継器、移動通信交換台、網連動装置、ゲートウェイ等で構成された無線網と移動交換網を通して無線通信が可能なネットワークを言う。
【００１２】
上記IWF(300)はモバイル充電器(100)で受信された信用/交通/先払いカード決済要請データを回線方式で信用/交通/先払いカード社システム(600)で送受信する機能を持つ相互接続装備を言う。
【００１３】
上記SMSサーバー(400)はモバイル充電器(100)で受信される各種データをM充電管理システム(500)で送受信する機能をする短文メッセージサーバーを言う。
【００１４】
上記M充電管理システム(500)はSMSサーバー(400)と連動されてSMSサーバーを通して受信されるデータを収集し処理結果データをSMSサーバーに送信し、移動通信社精算システム(700)と連動されて顧客/認証/携帯電話決済要請データを移動通信社精算システムに送信し結果データを受信する機能をし、信用/交通/先払いカード社システム(600)と連動されて信用/交通/先払いカード社システムから信用/交通/先払いカード決済に対する結果データを収集加工する機能を遂行する。
【００１５】
上記信用/交通/先払いカード会社(600)はIWF或いはSMSサーバーを通して受信された信用/交通/先払いカード決済要請データを処理し、信用/交通/先払いカード決済結果データを収集して信用/交通/先払いカード決済代金をM充電システム運営会社(図示省略)と精算する機能を遂行する。
【００１６】
上記移動通信社精算システム(700)は上記M充電管理システム(500)から受信した顧客情報認証/携帯電話決済要請データを処理してM充電管理システム(500)に送信し、携帯電話決済結果データを収集して携帯電話顧客に請求書を発行し、M充電システム運営会社(図示省略)と精算する機能を遂行する。
【００１７】
図２は本発明に従うモバイル充電器のブロック構成を示す図面である。図２を参照して本発明のモバイル充電器(100)に対してより詳細に説明すると、上記モバイル充電器(100)は使用者インターフェースモジュール(110)と、電源モジュール(120)、携帯電話バッテリー据え置きモジュール(130)、決済モジュール(140)、内蔵携帯電話端末機モジュール(150)、モジュール別インターフェース(160)で構成されるが、上記使用者インターフェースモジュール(130)は上記モバイル充電器(100)を使用しょうとする顧客の為の各種LCD、ボタン等のインターフェースを提供し、上記電源モジュール(120)は外部電源の入力を受けてモバイル充電器に必要な各種電源を出力し、上記携帯電話バッテリー据え置きモジュール(130)は上記モバイル充電器(100)を使用する使用者のモバイル装置を据え置きさせて電源を充電させることが出来るようにし、上記決済モジュール(140)は上記モバイル充電器使用の為の携帯電話決済、信用カード決済、コイン挿入、交通カード或いは先払いカード(PP)決済の為の環境を提供し、上記内蔵携帯電話端末機モジュール(150)はSMS、回線方式を利用して外部の各種システムと連動の為の各種データの送受信機能をし、上記モジュール別インターフェース(160)は上記モジュール間のデータ送受信を提供する。
【００１８】
図３は本発明に従うM充電管理システムのブロック構成を示す図面である。図３を参照して本発明のM充電管理システムをより詳細に説明すると、上記M充電管理システム(500)は外部使用者インターフェース(510)とシステム管理インターフェース(520)、SMSサーバー連動モジュール(530)、WEBサーバー(540)、信用カードシステム連動モジュール(550)、移動通信精算システム連動モジュール(560)、データベイス(570)で構成されるが、上記外部使用者インターフェース(510)はシステム管理者以外の外部使用者の為の各種UI環境を提供し、上記システム管理者インターフェース(520)は上記M充電管理システムの管理者の為のインターフェース画面を提供し、上記SMSサーバー連動モジュール(530)はSMSサーバーを通して受信されるデータを収集、分析し処理結果データをSMSサーバーに伝送し、上記ウェブサーバー(540)は外部使用者と管理者の為のウェブ画面を提供し、上記信用カードシステム連動モジュール(550)は信用/先払いカード決済システムと連動し信用/先払いカード決済結果データを収集加工する機能を提供し、上記移動通信精算システム連動モジュール(560)は移動通信精算システムと連動して携帯電話決済者の為の決済機能を提供し決済結果データを収集加工する機能を提供し、上記データベイス(57)は上記携帯電話決済、信用カード決済等の決済情報と各種データを収集して貯蔵して提供する機能を遂行する。
【００１９】
上記の様に構成された本発明が如何にしてモバイル装置を充電させるかをより具体的で詳細に説明する。
【００２０】
図４は本発明に従う実時間携帯電話決済を通したモバイル充電方法を示す図面である。図４を参照して実時間携帯電話決済を利用したモバイル充電方法を説明すると、本発明のモバイル充電器(100)が設置された営業場所や移動手段で携帯電話のバッテリー充電を希望する利用者が自身の携帯電話でモバイル充電器(100)に上記利用者の携帯電話を充電器のシリアル通信ケーブルに連結し充電器の自動ダイアリング(Dialing)ボタンを押して充電器に与えられた電話番号で電話をすれば(S40)、上記モバイル充電器(100)は内蔵携帯電話端末機モジュールを利用して発信番号を捕捉してSMSサーバー(400)に伝送し、SMSサーバー(400)は上記発信番号を文字メッセージに作成しM充電管理システム(500)に伝送するようになる(S41)。上記発信番号を受信したM充電管理システム(500)は発信番号と上記充電に必要な決済金額を作成して上記移動通信社精算システム(700)に伝送し決済承認を要請するようになる（S42）。上記移動通信社精算システム(700)が決済金額を承認するようになるとM充電管理システム(500)は決済承認を確認し関連情報を貯蔵した後(S43)、上記決済承認情報と使用承認情報をSMSサーバーに伝送し、SMSサーバーは更に上記モバイル充電器に決済承認と使用承認情報を文字メッセージに作成して伝送する様になる(S44)。上記利用者はモバイル充電器(100)に表示される使用承認と秘密番号を確認し(S45)、携帯電話のバッテリー充電をすれば良い(S46)。
【００２１】
上記実時間携帯電話決済は一括携帯電話決済を通してもモバイル充電が可能であるが図８を参照し詳細に説明すると、本発明のモバイル充電器(100)が設置された営業場所や移動手段で携帯電話のバッテリー充電を希望する利用者が自身の携帯電話でモバイル充電器(100)に上記利用者の携帯電話を充電器のシリアル通信ケーブルに連結し、充電器の自動ダイアリングボタンを押して充電器に与えられた電話番号で電話をするようになると(S80)、上記モバイル充電器(100)は内蔵携帯端末機モジュールを利用して発信番号を捕捉して充電器に貯蔵し(S81)、上記利用者は表示される使用承認と秘密番号を確認し(S82)、携帯電話バッテリー充電をすれば(S83)、モバイル充電器(100)は定められた時刻に一括的に充電器使用者の携帯電話番号をSMSサーバー(400)に伝送し、SMSサーバー(400)は上記発信番号を文字メッセージに作成しM充電管理システム(500)に伝送するようになる(S84)。上記発信番号を受信したM充電管理システム(500)は発信番号と上記充電に必要な決済金額を作成し上記移動通信社精算システム(700)に伝送し決済情報を精算し貯蔵して管理する様になる(S85)。
【００２２】
図５は本発明に従う信用カード決済を通したモバイル充電方法を示す図面である。図５を参照して信用カードを利用したモバイル充電方法を詳細に説明すれば、本発明のモバイル充電器(100)が設置された営業場所や移動手段で携帯電話のバッテリー充電を希望する利用者が自身の名義になっている信用カードを上記モバイル充電器(100)に挿入し秘密番号を入力して充電に必要な金額を決済要請するようになる(S50)。上記モバイル充電器(100)がIWFに信用/先払いカードのシステム間の回線開放を要請するようになると回線が開放になり(S51)、上記モバイル充電器(100)は上記利用者の信用カード決済内訳を信用/交通/先払いカード社システム(600)に伝送し承認を要請するようになる(S52)。上記信用/交通/先払いカード社システム(600)は上記信用カード決済内訳を承認し(S53)更に上記モバイル充電器(100)に伝送し回線を閉鎖するようになる(S54)。上記信用カードを利用した決済内訳が承認されると上記利用者はモバイル充電器(100)に表示される使用承認と秘密番号を確認し(S55)、携帯電話のバッテリー充電をすれば良い(S56)。
【００２３】
図６は本発明に従う現金挿入を通したモバイル充電方法を示す図面である。図６を参照して現金挿入を通したモバイル充電方法をより詳細に説明すると、本発明のモバイル充電器(100)が設置された営業場所や移動手段で携帯電話のバッテリー充電を希望する利用者がモバイル充電器に設置された現金挿入口に現金を挿入して充電に必要な一定金額になれば(S60)、上記利用者はモバイル充電器(100)に表示される使用承認と秘密番号を確認し(S61)、携帯電話のバッテリー充電をすれば良い(S63)。上記利用者が使用承認と秘密番号を確認して、充電をするようになれば内部的には上記挿入された現金の決済金額と関連情報がSMSサーバーに伝送され、SMSサーバーはM充電管理システムに伝送して貯蔵し管理する様になる(S62)。
【００２４】
図７は本発明に従う交通カード或いは先払いカード決済を通したモバイル充電方法を示す図面である。図７を参照して交通カード或いは先払いカードを利用したモバイル充電方法を詳細に説明すると、本発明のモバイル充電器(100)が設置された営業場所や移動手段で携帯電話のバッテリー充電を希望する利用者が自身の名義になっている交通カード或いは先払いカードをモバイル充電器に接触させると(S70)、モバイル充電に必要な金額が自動的に決済されながら、上記利用者はモバイル充電器(100)に表示される使用承認と秘密番号を確認し(S71)、携帯電話のバッテリー充電をすれば良い(S63)。上記利用者が使用承認と秘密番号を確認し、充電すれば内部的には上記利用者の交通カード或いは先払いカードで決済された決済金額と関連情報がSMSサーバーに伝送され、SMSサーバーはM充電管理システムに伝送し、M充電管理システムは交通カード或いは先払いカード会社に交通カード或いは先払いカード使用代金を請求し精算をするようになる(S72)。
【００２５】
以上で本発明の実施例を説明する為に使用された用語等は本発明を説明する為の目的で使用されたものであり、意味の限定や特許請求範囲に記載された本発明の範囲を制限する為に使用されたものではない。
【図面の簡単な説明】
【００２６】
【図１】本発明に従うモバイル充電管理システムの全体的なブロック構成を示す図面である。
【図２】本発明に従うモバイル充電器のブロック構成を示す図面である。
【図３】本発明に従うM充電管理システムのブロック構成を示す図面である。
【図４】本発明に従う携帯電話決済を通したモバイル充電方法を示す図面である。
【図５】本発明に従う信用カード決済を通したモバイル充電方法を示す図面である。
【図６】本発明に従う現金挿入を通したモバイル充電方法を示す図面である。
【図７】本発明に従う交通カード或いは先払いカード決済を通したモバイル充電方法を示す図面である。
【図８】本発明に従う一括(Batch)携帯電話決済を通したモバイル充電方法を示す図面である。
【符号の説明】
【００２７】
100 : モバイル充電器
110 : 使用者インターフェースモジュール
120 : 電源モジュール
130 : 携帯電話バッテリー据え置きモジュール
140 : 決済モジュール
150 : 内蔵携帯電話端末機モジュール
160 : モジュール別インターフェース
200 : 無線ネットワーク
300 : IWF
400 : SMSサーバー
500 : M充電管理システム
510 : 外部使用者インターフェース
520 : システム管理者インターフェース
530 : SMSサーバー連動モジュール
540 : WEBサーバー
550 : 信用カードシステム連動モジュール
560 : 移動通信精算システム連動モジュール
570 : データベイス
600 : 信用/交通/先払いカード社システム
700 : 移動通信社精算システム
【図１】
2005259129.tif 000003
【図２】
2005259129.tif 000004
【図３】
2005259129.tif 000005
【図４】
2005259129.tif 000006
【図５】
2005259129.tif 000007
【図６】
2005259129.tif 000008
【図７】
2005259129.tif 000009
【図８】
2005259129.tif 000010